(57)【要約】【課題】マルチディスプレイ画面を利用する際のスクリーンロック状態への移行を制限することができる連携表示システムを提供する。【解決手段】所定条件の充足によりスクリーンロック状態へ移行するディスプレイ（表示装置３０１）が搭載された複数の端末装置（１０１他）を接続し、各端末装置のディスプレイをタイル状に並べて配置することにより、マルチディスプレイ画面を構成する。いずれかの端末装置（１０１、１０２、１０３、１０４）が、マルチディスプレイ画面を利用するアプリケーションプログラムを起動したときに、この端末装置から、他の端末装置宛にこの端末装置及びアプリケーションプログラムの識別情報と共に、前記アプリケーションプログラムを起動した旨を伝達することにより、他の端末装置が、自装置におけるスクリーンロック状態への移行を所定条件の充足の有無に関わらず保留する。【選択図】図３
2014225065.tif 000002
【特許請求の範囲】
【請求項１】
それぞれ、所定条件の充足により情報の表示及び操作入力の受付の少なくとも一方の機能を制限する状態へと移行するディスプレイを有する複数の端末装置を接続し、各端末装置のディスプレイを所定配列で配置することにより、マルチディスプレイ画面を構成する連携表示システムであって、
前記複数の端末装置は、それぞれ、
前記マルチディスプレイ画面を利用するアプリケーションプログラムを起動可能な他の端末装置の稼働状態を監視する監視手段と、
他のいずれかの端末装置が前記アプリケーションプログラムを起動しているときに、自装置における前記移行を前記所定条件の充足の有無に関わらず保留させる制御手段と、を有することを特徴とする、
連携表示システム。
【請求項２】
ディスプレイを有する他の端末装置と通信を行う通信手段と、
前記通信により接続された他の端末装置のディスプレイと共に所定配列で配置されることによりマルチディスプレイ画面を構成可能なディスプレイと、
所定条件の充足により、前記ディスプレイへの情報の表示及び前記ディスプレイからの操作入力の受付の少なくとも一方の機能を制限する状態へと移行させる状態移行手段と、
前記他の端末装置の稼働状態を監視し、当該他の端末装置が前記マルチディスプレイ画面を利用するアプリケーションプログラムを起動しているときに、前記状態移行手段による移行を前記所定条件の充足の有無に関わらず保留させる制御手段と、を有することを特徴とする、
端末装置。
【請求項３】
前記他の端末装置が前記アプリケーションプログラムを起動したことを契機に、自装置においても当該アプリケーションプログラムの起動を可能にする起動手段をさらに有することを特徴とする、
請求項２に記載の端末装置。
【請求項４】
前記起動手段は、他の端末装置との接続が解除されたことが検知された場合、自装置において起動中の前記アプリケーションプログラムを終了させ、
前記制御手段は、前記アプリケーションプログラムの終了を契機に前記保留を解除することを特徴とする、
請求項３に記載の端末装置。
【請求項５】
前記制御手段は、前記移行が保留されている場合に、保留中であることを表す保留情報を出力することを特徴とする、
請求項２乃至４のいずれか１項に記載の端末装置。
【請求項６】
前記制御手段は、前記保留情報を前記他の端末装置に伝達することにより、当該他の端末装置のディスプレイに、自装置のディスプレイが前記移行を保留していることを表示させることを特徴とする、
請求項５に記載の端末装置。
【請求項７】
所定条件の充足により情報の表示及び操作入力の受付の少なくとも一方の機能を制限する状態へと移行するディスプレイを有する他の端末装置と通信を行う通信手段と、
前記通信により接続された他の端末装置のディスプレイと共に所定配列で配置されることによりマルチディスプレイ画面を構成可能なディスプレイと、
前記マルチディスプレイ画面を利用するアプリケーションプログラムを起動する起動手段と、
前記アプリケーションプログラムを起動したときに、前記通信手段を通じて接続されている他の端末装置へ、自装置及び当該アプリケーションプログラムの識別情報と共に、前記アプリケーションプログラムを起動した旨を伝達し、これにより、前記他の端末装置における前記移行を保留させる伝達手段と、を有することを特徴とする、
端末装置。
【請求項８】
それぞれ、所定条件の充足により情報の表示及び操作入力の受付の少なくとも一方の機能を制限する状態へと移行するディスプレイが搭載された複数の端末装置を接続し、
各端末装置のディスプレイを所定配列で配置することにより、マルチディスプレイ画面を構成するとともに、
いずれかの端末装置が、前記マルチディスプレイ画面を利用するアプリケーションプログラムを起動したときに、当該端末装置から、他の端末装置宛に当該端末装置及び当該アプリケーションプログラムの識別情報と共に、前記アプリケーションプログラムを起動した旨を伝達することにより、
前記他の端末装置が、自装置における前記移行を前記所定条件の充足の有無に関わらず保留させることを特徴とする、
マルチディスプレイ画面の表示方法。
【請求項９】
ディスプレイを備えた他の端末装置と連携して自装置のディスプレイと共にマルチディスプレイ画面を構成する端末装置を、表示システムとして動作させるためのコンピュータプログラムであって、
前記端末装置を、
所定条件の充足により、自装置のディスプレイへの情報の表示及び当該ディスプレイからの操作入力の受付の少なくとも一方の機能を制限する状態へと移行させる状態移行手段、
前記他の端末装置の稼働状態を監視し、当該他の端末装置が前記マルチディスプレイ画面を利用するアプリケーションプログラムを起動しているときに、前記移行を前記所定条件の充足の有無に関わらず保留させる制御手段、として機能させる、
コンピュータプログラム。
【請求項１０】
所定条件の充足により情報の表示及び操作入力の受付の少なくとも一方の機能を制限する状態へと移行するディスプレイを有する他の端末装置と通信を行う通信手段と、前記通信により接続された他の端末装置のディスプレイと共に所定配列で配置されることによりマルチディスプレイ画面を構成可能なディスプレイとを備えた端末装置を、連携表示システムとして動作させるためのコンピュータプログラムであって、
前記端末装置を、
前記マルチディスプレイ画面を利用するアプリケーションプログラムを起動する起動手段、
前記アプリケーションプログラムを起動したときに、前記通信手段を通じて接続されている他の端末装置へ、自装置及び当該アプリケーションプログラムの識別情報と共に、前記アプリケーションプログラムを起動した旨を伝達し、これにより、前記他の端末装置における前記移行を保留させる伝達手段、として機能させる、
コンピュータプログラム。
【発明の詳細な説明】
【技術分野】
【０００１】
本発明は、複数の端末装置を並べて配置することにより、いわゆるマルチディスプレイ画面を構成する連携表示システム、表示方法、プログラム及び、連携表示システムを構成する端末装置に関する。
【背景技術】
【０００２】
企業、学校などのミーティングにおいては、資料や情報の共有に情報処理端末、例えばタブレット端末、携帯情報端末などの端末装置を利用して、ペーパレス化やミーティングの効率化を図るケースが増えている。しかしながら、端末装置の表示画面（ディスプレイ）は７インチから１０インチ程度と小さい。そのため、例えば設計図や地図などのコンテンツを画面に表示した際には、細かな部分が見えにくい。そのため、視認性が良くないという問題がある。
【０００３】
このような問題を解決する従来技術として、特許文献１に開示されたディスプレイシステムがある。このディスプレイシステムでは、複数のデバイス（例えばタブレット端末）をタイル状に並べて、タブレット端末個々の画面があたかも全体として一つの画面であるかのように表示制御する、というものである。つまり、複数のタブレット端末の表示部を並べて配置することにより、いわゆるマルチディスプレイ画面を構成している。
【先行技術文献】
【特許文献】
【０００４】
【特許文献１】特開平１１−１３４０８７号公報
【発明の概要】
【発明が解決しようとする課題】
【０００５】
タブレット端末では、セキュリティ対策の観点から、一定時間ユーザから操作入力が無い場合には、ディスプレイの表示、ユーザからの操作入力の受け付けなどを制限する、いわゆるスクリーンロック状態（スクリーンロックが作動している状態）に移行する。また、このようなタブレット端末では、スクリーンロック状態を解除するためのパスワードを予め設定しておくことができる。この場合には、スクリーンロックの作動開始に合わせて、パスワードの入力を求める画面がディスプレイに表示される。
【０００６】
複数のデバイスで一つの資料を閲覧している場合に、いずれかのデバイスがスクリーンロック状態に移行してしまうと、その都度個別に、スクリーンロック状態の解除操作をすることとなる。そのため、ミーティングの進行が妨げられ、ユーザにとっての利便性が低下する可能性がある。ミーティング中のスクリーンロックを回避するためには、ユーザがミーティング前に予めスクリーンロックの設定を解除する方法もある。しかし、ミーティング後にスクリーンロックの再設定を失念する可能性があるなど、セキュリティ対策の観点からは推奨し難い。
特許文献１に開示されたディスプレイシステムにおいては、一つの資料を閲覧している最中に、マルチディスプレイ画面を構成する一部のタブレット端末がスクリーンロック状態に移行してしまうことは考慮されていなかった。
【０００７】
本発明は、スクリーンロック機能を有する端末装置において、マルチディスプレイ画面を利用する場合には、スクリーンロック状態への移行を制限することを、主たる目的とする。
【課題を解決するための手段】
【０００８】
本発明の連携表示システムは、それぞれ、所定条件の充足により情報の表示及び操作入力の受付の少なくとも一方の機能を制限する状態へと移行するディスプレイを有する複数の端末装置を接続し、各端末装置のディスプレイを所定配列で配置することにより、マルチディスプレイ画面を構成する連携表示システムであって、前記複数の端末装置は、それぞれ、前記マルチディスプレイ画面を利用するアプリケーションプログラムを起動可能な他の端末装置の稼働状態を監視する監視手段と、他のいずれかの端末装置が前記アプリケーションプログラムを起動しているときに、自装置における前記移行を前記所定条件の充足の有無に関わらず保留させる制御手段と、を有することを特徴とする。
【発明の効果】
【０００９】
本発明によれば、スクリーンロック機能を有する端末装置において、マルチディスプレイ画面を利用する場合には、スクリーンロック状態への移行を制限することができる。
【図面の簡単な説明】
【００１０】
【図１】システム全体の構成例を示す図。
【図２】端末装置のハードウェア構成例を示すブロック図。
【図３】端末装置が有する機能構成例を示すブロック図。
【図４】アプリケーションプログラムの連結動作が開始されるまでの処理手順例を示すフローチャート。
【図５】識別情報を他の端末装置が受け付けたときの処理手順例を示すフローチャート。
【図６】連結動作中にスクリーンロックが作動開始したときの処理手順例を示すフローチャート。
【図７】アプリケーション管理テーブルの一例を示す図。
【図８】連結動作中に一部の端末装置がネットワーク接続を解除したときの処理手順例を示すフローチャート。
【図９】スクリーンロックの作動開始が保留されていることを表すアイコンを説明するための図。
【図１０】スクリーンロックを作動開始させるか否かを選択するための確認画面を説明するための図。
【図１１】他の端末装置にスクリーンロックを作動開始させるか否かを選択するための確認画面を表示する場合の例図。
【発明を実施するための形態】
【００１１】
以下、図面を参照しながら実施形態を説明する。
なお、以下の説明においては、ネットワークを介して相互に接続されている複数の端末装置（例えばタブレット端末）それぞれが有するディスプレイを並べて配置して、マルチディスプレイ画面を構成する場合を例にする。また、同一のマルチディスプレイ対応アプリケーションプログラムがそれぞれの端末装置において起動されることにより、マルチディスプレイの機能が利用できる場合を例に挙げて説明する。
【００１２】
［第１実施形態］
図１は、本実施形態のシステム全体の構成例を示す図である。図１に示す連携表示システムＳは、複数の端末装置（端末装置１０１、１０２、１０３、１０４）を含んで構成される。端末装置１０１、１０２、１０３、１０４のそれぞれは、例えばタブレット端末、携帯情報端末（例えば、スマートフォン）などである。各端末装置は、ネットワーク１０５を介して相互に情報の授受ができるように接続されている。ネットワーク１０５は、例えば、無線または有線のＬＡＮ（Local Area Network）で実現される。なお、連携表示システムＳを構成する端末装置は、少なくとも２台以上であれば良い。また、端末装置１０１、１０２、１０３、１０４は、それぞれ同等の機能を有するものである。以下、代表して端末装置１０１を例に挙げて説明を進める。
【００１３】
図２は、端末装置１０１のハードウェア構成例を示すブロック図である。端末装置１０１は、表示装置３０１、入力装置３０２、主記憶装置３０３、補助記憶装置３０４、中央演算処理装置３０５、ネットワークＩ／Ｆ３０６、バス３０７を含んで構成される。
表示装置３０１は、例えば液晶ディスプレイであり、コンテンツ、ユーザインタフェイスなどの各種情報を表示する。入力装置３０２は、例えばタッチパネル、キーボードなどの入力デバイスであり、ユーザからの各種操作を受け付ける。主記憶装置３０３は、例えばＲＡＭであり、外部から取得したデータやプログラム動作中の値、生成した出力データなどを一時的に保存する。補助記憶装置３０４は、例えばハードディスクであり、端末装置１０１で起動される各種アプリケーションプログラム（以下、アプリケーションとする）、データなどを記憶する。中央演算処理装置３０５は、例えばＣＰＵであり、端末装置１０１全体を制御する。ネットワークＩ／Ｆ３０６は、端末装置１０１と外部装置の情報の授受を仲介する。バス３０７は、各装置相互間の情報伝達を仲介する。
【００１４】
図３は、端末装置１０１が有する機能構成例を示すブロック図である。アプリケーション情報管理部４０１は、連結動作しているアプリケーションを一意に特定するための情報、例えばアプリケーションの名称、識別子などを含んだ情報を管理する。これにより、アプリケーションの稼働状態を管理することができる。
ここで、連結動作とは、アプリケーションがマルチディスプレイ機能を利用している場合の動作である。なお、連結動作しているアプリケーションは、表示装置３０１の画面上にコンテンツを表示させているアプリケーションの他、バックグラウンドで動作しているものもある。
【００１５】
アプリケーション表示状態監視部４０２は、連結動作しているアプリケーションにより表示装置３０１の画面上に表示される各種情報の表示状況を監視する。スクリーンロック状態監視部４０３は、表示装置３０１の機能の制限、つまりスクリーンロックの作動開始又は作動停止を監視して、必要に応じてその状況を表すメッセージを画面に表示する。ネットワーク接続状態監視部４０４は、ネットワークＩ／Ｆ３０６の状態を監視して、ネットワーク１０５に対する端末装置１０１の接続開始又は接続解除を判別する。スクリーンロック確認部４０５は、ユーザに対してスクリーンロックの作動開始の確認を行う。スクリーンロック制御部４０６は、スクリーンロックの作動開始、又は、作動停止を制御する。
なお、スクリーンロックは、例えば所定条件の充足（後述するスクリーンロック作動開始時間）により、表示装置３０１の情報の表示及び操作入力の受付の少なくとも一方の機能を制限する状態へと移行することをいうものとする。
【００１６】
操作命令送受信部４０７は、入力装置３０２が受け付けたユーザからの操作命令を他の端末装置（１０２、１０３、１０４）に送信し、又は、他の端末装置から送信された操作命令を受信する。
共有情報送受信部４０８は、他の端末装置（１０２、１０３、１０４）と共有する情報を送信し、又は、受信する。例えば、連結動作している際に、ある端末装置がユーザから受け付けた操作命令、画面の表示状況を表す情報などは、操作命令送受信部４０７と共有情報送受信部４０８により他の端末へ向けて送信される。アプリケーション制御部４０９は、各種アプリケーションの起動又は終了を制御する。
【００１７】
図４は、端末装置１０１においてアプリケーションの連結動作が開始されるまでの処理手順例を示すフローチャートである。なお、各端末装置それぞれは、ネットワーク１０５に接続しており、マルチディスプレイ機能をアプリケーションが利用できる状態であるとする。また、ユーザが連結動作するアプリケーションを起動させる場合を例に挙げて、説明を進める。
アプリケーション制御部４０９は、ユーザからの操作入力の受け付けを契機に、指定されたアプリケーション（連結動作するアプリケーション）を起動する（Ｓ５０１）。
アプリケーション情報管理部４０１は、起動したアプリケーションの名称及び端末装置１０１のＩＤなどを含んだ識別情報を、ネットワーク１０５を介して他の端末装置（１０２、１０３、１０４）それぞれに伝達する（Ｓ５０２）。
なお、起動終了したアプリケーションについても、その識別情報を他の端末装置（１０２、１０３、１０４）それぞれに伝達する。
【００１８】
アプリケーション情報管理部４０１は、伝達した識別情報と他の端末装置（１０２、１０３、１０４）から受け付けた識別情報を、後述するアプリケーション管理テーブル８００（図７）に記録する（Ｓ５０３）。アプリケーション管理テーブル８００は、連結動作するアプリケーションを起動した端末装置と、そのアプリケーションとを関連付けて管理するためのテーブルである。また、アプリケーション管理テーブル８００は、各端末装置それぞれの補助記憶装置３０４に保存されている。詳細は後述する。
アプリケーション制御部４０９は、他の端末装置（１０２、１０３、１０４）との連結動作を開始する（Ｓ５０４）。
【００１９】
図５は、Ｓ５０２の処理における識別情報を他の端末装置が受け付けたときの処理手順例を示すフローチャートである。代表して、端末装置１０２を例に挙げて説明を進める。
端末装置１０２のアプリケーション情報管理部は、端末装置１０１から伝達された識別情報を受け付ける（Ｓ６０１）。端末装置１０２のアプリケーション制御部は、受け付けた識別情報に基づいて、端末装置１０１で起動されたアプリケーションと同じアプリケーションを起動する（Ｓ６０２）。例えば、端末装置１０１で起動されたアプリケーションが文書作成アプリケーションであれば、識別情報に基づいて端末装置１０２においても文書作成アプリケーションが起動される。
端末装置１０２のアプリケーション情報管理部は、端末装置１０２のアプリケーション管理テーブルに受け付けた識別情報を記録する（Ｓ６０３）。端末装置１０２のアプリケーション制御部は、端末装置１０１の他、識別情報に基づいてアプリケーションを起動した端末装置１０３、１０４との連結動作を開始する（Ｓ６０４）。
【００２０】
図６は、連結動作中にスクリーンロックが作動開始したときの処理手順例を示すフローチャートである。代表して、端末装置１０１を例に挙げて説明を進める。
スクリーンロック制御部４０６は、図示しないタイマにより、ユーザによる操作入力が最後に行われてからの経過時間を計測する。計測結果からスクリーンロック作動開始時間が経過したか否かを判別する（Ｓ７０１）。スクリーンロック作動開始時間とは、最後にユーザによる操作入力を受け付けてから、スクリーンロックの作動を開始させるまでの任意に設定された時間である。スクリーンロック作動開始時間が経過した場合、スクリーンロックの作動を開始するタイミングにあると判別する（Ｓ７０１：ｙｅｓ）。
アプリケーション表示状態監視部４０２は、スクリーンロックの作動開始のタイミング（Ｓ７０１：ｙｅｓ）において、端末装置１０１で起動されているアプリケーションを特定するための情報を取得する（Ｓ７０２）。アプリケーションを特定するための情報は、例えばアプリケーションの名称、識別子などである。
スクリーンロック制御部４０６は、端末装置１０１で起動しているアプリケーションが、アプリケーション管理テーブル８００に記録されているものであるか否かを判別する（Ｓ７０３）。つまり、端末装置１０１で起動しているアプリケーションが、連結動作しているアプリケーションであるか否かが判別される。この判別は、アプリケーション管理テーブル８００を参照して行う。以下、アプリケーション管理テーブル８００の一例について、図７を用いて説明する。
【００２１】
図７は、アプリケーション管理テーブル８００の一例を示す図である。図７に示すアプリケーション管理テーブル８００は、端末装置を特定するための「端末装置ＩＤ」項目と、アプリケーションの名称を特定するための「アプリケーション名」項目を含んで構成される。図７に示すアプリケーション管理テーブル８００からは、「端末装置Ａ」では「設計アプリケーション」、「文書アプリケーション」が連結動作中であることが読み取れる。また、「端末装置Ｂ」では、「設計アプリケーション」、「文書アプリケーション」が連結動作中であることが読み取れる。「端末装置Ｃ」では「設計アプリケーション」が連結動作中であることが読み取れる。「端末装置Ｄ」では「設計アプリケーション」が連結動作中であることが読み取れる。なお、終了されたたアプリケーションは、随時、アプリケーション管理テーブル８００から削除される。
例えば、「端末装置Ａ」がスクリーンロックの作動を開始するタイミングにあるとする。端末装置Ａで起動中のアプリケーションは「設計アプリケーション」である。この「設計アプリケーション」は、「端末装置Ｂ」、「端末装置Ｃ」、「端末装置Ｄ」において連結動作中であると判別される。
【００２２】
図６に戻り、端末装置１０１で実行されているアプリケーションが連結動作中のものであると判別された場合、スクリーンロック制御部４０６は、当該アプリケーションが終了するまでの間、スクリーンロックの作動開始を保留する（Ｓ７０４）。
その後、連結動作中のアプリケーションが終了したことをスクリーンロック状態監視部４０３が検知したことを契機に、スクリーンロック制御部４０６は、スクリーンロックの作動を開始する（Ｓ７０５）。
【００２３】
このように、本実施形態の連携表示システムＳでは、端末装置１０１の表示装置３０１に対してスクリーンロックの作動を開始するタイミングにおいて、端末装置１０１で起動されているアプリケーションを特定する。
特定されたアプリケーションが、アプリケーション管理テーブル８００に記録されており、且つ、当該アプリケーションが端末装置１０２、１０３、１０４いずれかにおいても起動されているときには、スクリーンロックの作動開始を保留する。なお、端末装置１０２、１０３、１０４それぞれの表示装置に対するスクリーンロックの作動を開始するタイミングにおいても、同様の処理を行う。
これにより、マルチディスプレイ画面を利用している際には、各端末装置のディスプレイの機能を制限する状態（スクリーンロック状態）への移行を保留することができる。そのため、セキュリティ面を犠牲にすることなく、ユーザの利便性を向上することができる。
【００２４】
［第２実施形態］
ここでは、第１実施形態で説明した連携表示システムＳおいて、一部の端末装置が連結動作中にネットワーク接続を解除したときの処理手順例について、図８を参照しながら説明する。図８は、上記の場合における処理手順例を示すフローチャートである。なお、代表して端末装置１０１を例に挙げて説明する。また、第１実施形態において既に説明した部分と一致する部分については、同一の符号を付すと共に、その説明を省略する。
【００２５】
ネットワーク接続状態監視部４０４は、ネットワークＩ／Ｆ３０６の状態からネットワーク接続が解除されたか否かを判別する（Ｓ９０１）。
ネットワーク接続が解除されたと判別した場合（Ｓ９０１：ｙｅｓ）、アプリケーション表示状態監視部４０２は、その時点で、端末装置１０１で起動されているアプリケーションを特定するための情報を取得する（Ｓ９０２）。アプリケーションを特定するための情報は、例えばアプリケーションの名称、識別子などである。
スクリーンロック制御部４０６は、端末装置１０１で起動しているアプリケーションが、アプリケーション管理テーブル８００に記録されているものであれば、そのアプリケーションは連結動作していると判別する（Ｓ９０３：ｙｅｓ）。この場合には、アプリケーション制御部４０９は、起動中のアプリケーションを終了する。スクリーンロック状態監視部４０３は、スクリーンロックの作動開始が保留されているか否かを判別する（Ｓ９０５）。保留されていると判断した場合（Ｓ９０５：ｙｅｓ）、スクリーンロック状態監視部４０３は、スクリーンロック制御部４０６に指示を出し、スクリーンロックの作動を開始させる（Ｓ９０６）。
なお、Ｓ９０３の処理において、起動中のアプリケーションが連結動作していないと判別した場合（Ｓ９０３：ｎｏ）、並びに、Ｓ９０５の処理において、スクリーンロックの作動開始が保留されていない場合（Ｓ９０５：ｎｏ）には、一連の処理を終了する。
【００２６】
これにより、スクリーンロックを作動開始するタイミングにある端末装置においてネットワーク接続が解除された場合、速やかにスクリーンロックの作動を開始することができる。そのため、セキュリティ面を犠牲にすることなく、ユーザの利便性を向上することができる。
【００２７】
［第３実施形態］
ここでは、ユーザに対して、スクリーンロックの作動開始が保留されていることを通知する場合の例について説明する。
図９は、端末装置１０１、１０２、１０３、１０４をタイル状に並べて、マルチディスプレイ機能を利用したコンテンツが画面に表示されている様子を示す図である。
図６に示すＳ７０１の処理において、スクリーンロックの作動開始のタイミングにある場合（Ｓ７０１：ｙｅｓ）、図９に示すアイコン１００１（サークルＬ）を表示する。このアイコン１００１は、スクリーンロックの作動開始が保留されていることを表すアイコンの一例である。アイコン１００１の形状、色などは、任意に設定することができる。
【００２８】
図９では、端末装置１０２が有する表示部の表示領域内でアイコン１００１が表示されている。つまり、この場合には、端末装置１０２においてスクリーンロックの作動開始が保留されている、ということユーザに通知することができる。
これにより、ユーザは、どの端末装置でスクリーンロックの作動開始が保留されているかを容易に把握することができる。また、ユーザにとっては、端末装置でスクリーンロックの設定が正しく行われており、スクリーンロックが機能していることの確認にもなる。
【００２９】
［第４実施形態］
ここでは、ユーザの意思でスクリーンロックの作動開始をキャンセルすることができる場合の例について説明する。
図１０は、端末装置１０１、１０２、１０３、１０４をタイル状に並べて、マルチディスプレイ機能を利用したコンテンツが画面に表示されている様子を示す図である。
図６に示すＳ７０５の処理、図８に示すＳ９０６の処理において、スクリーンロックの作動開始を契機に、図１０に示す確認画面１１０１を表示する。図１０では、一例として、端末装置１０２が有する表示部の表示領域内において、確認画面１１０１が表示されている。つまり、この場合の確認画面１１０１は、端末装置１０２におけるスクリーンロックを作動開始させるか否かを選択することになる。ユーザが、「はい」を選択すれば、その後、端末装置はスクリーンロック状態に移行する。また、「いいえ」を選択すれば、スクリーンロック状態への移行がキャンセルされる。
これにより、ユーザは、連結動作しているアプリケーションの終了に伴って作動開始するスクリーンロックをキャンセルすることができる。よって、ユーザの利便性が向上する。
【００３０】
［第５実施形態］
ここでは、ある端末装置のスクリーンロックの作動開始を、他の端末装置を操作することによりキャンセルする場合の例について説明する。
図１１は、端末装置１０１、１０２、１０３、１０４をタイル状に並べて、マルチディスプレイ機能を利用したコンテンツが画面に表示されている様子を示す図である。
図６に示すＳ７０５の処理、図８に示すＳ９０６の処理において、例えばスクリーンロックを作動開始させる端末装置を、図１１に示すように端末装置１０４とする。この場合、端末装置１０４が有する表示部の表示領域内において、スクリーンロックの作動開始のタイミングで確認画面１２０２が表示される。また、端末装置１０４を除いた他の端末装置、例えば図１１に示すように、端末装置１０２が有する表示部の表示領域内においては、確認画面１２０１が表示される。確認画面１２０１は、端末装置１０４におけるスクリーンロックを作動開始させるか否かが、「はい」又は「いいえ」で選択できる。
これにより、ユーザは、連結動作しているアプリケーションの終了に伴って作動開始するスクリーンロックを、他の端末装置を介してキャンセルすることができる。よって、ユーザの利便性が向上する。
【００３１】
上記説明した実施形態は、本発明をより具体的に説明するためのものであり、本発明の範囲が、これらの例に限定されるものではない。
【図１】
2014225065.tif 000003
【図２】
2014225065.tif 000004
【図３】
2014225065.tif 000005
【図４】
2014225065.tif 000006
【図５】
2014225065.tif 000007
【図６】
2014225065.tif 000008
【図７】
2014225065.tif 000009
【図８】
2014225065.tif 000010
【図９】
2014225065.tif 000011
【図１０】
2014225065.tif 000012
【図１１】
2014225065.tif 000013